(57)【特許請求の範囲】
【請求項１】
印刷対象であるページ画像及びアクセサリ画像のレイアウトを示すレイアウトデータを作成するレイアウトデータ作成装置であって、
複数のアクセサリ画像を含むアクセサリセットであって、ユーザにより選択されたアクセサリセットに含まれる各アクセサリ画像を、当該アクセサリ画像について予め設定されている位置情報により示される位置に配置する第１配置手段と、
前記ユーザにより選択されたアクセサリセットについて当該ユーザが設定した第１重ね順と、前記アクセサリセットに含まれる各アクセサリ画像間で予め設定されている第２重ね順に基づいて、前記ユーザにより選択された各アクセサリセットに含まれる全てのアクセサリ画像の総合重ね順を算出し、当該全てのアクセサリ画像を当該総合重ね順の示す層に配置する第２配置手段と、
を備え、
前記第２配置手段は、前記第２重ね順として正の数値が設定されている前記アクセサリ画像を前記ページ画像より上位層に配置し、前記第２重ね順として負の数値が設定されている前記アクセサリ画像を前記ページ画像より下位層に配置することを特徴とするレイアウトデータ作成装置。
【請求項２】
請求項１に記載のレイアウトデータ作成装置であって、
前記第２配置手段は、前記第２重ね順が同順位であるアクセサリ画像については当該アクセサリ画像を含むアクセサリセットについて設定された第１重ね順に従って前記総合重ね順を算出することを特徴とするレイアウトデータ作成装置。
【請求項３】
印刷対象であるページ画像及びアクセサリ画像のレイアウトを示すレイアウトデータを作成するレイアウトデータ作成装置が行うレイアウトデータ作成方法であって、
複数のアクセサリ画像を含むアクセサリセットであって、ユーザにより選択されたアクセサリセットに含まれる各アクセサリ画像を、当該アクセサリ画像について予め設定されている位置情報により示される位置に配置する第１配置工程と、
前記ユーザにより選択されたアクセサリセットについて当該ユーザが設定した第１重ね順と、前記アクセサリセットに含まれる各アクセサリ画像間で予め設定されている第２重ね順に基づいて、前記ユーザにより選択された各アクセサリセットに含まれる全てのアクセサリ画像の総合重ね順を算出し、当該全てのアクセサリ画像を当該総合重ね順の示す層に配置する第２配置工程と、
を含み、
前記第２配置工程では、前記第２重ね順として正の数値が設定されている前記アクセサリ画像を前記ページ画像より上位層に配置し、前記第２重ね順として負の数値が設定されている前記アクセサリ画像を前記ページ画像より下位層に配置することを特徴とするレイアウトデータ作成方法。
【請求項４】
印刷対象であるページ画像及びアクセサリ画像のレイアウトを示すレイアウトデータを作成するレイアウトデータ作成装置に含まれるコンピュータを、
複数のアクセサリ画像を含むアクセサリセットであって、ユーザにより選択されたアクセサリセットに含まれる各アクセサリ画像を、当該アクセサリ画像について予め設定されている位置情報により示される位置に配置する第１配置手段、
前記ユーザにより選択されたアクセサリセットについて当該ユーザが設定した第１重ね順と、前記アクセサリセットに含まれる各アクセサリ画像間で予め設定されている第２重ね順に基づいて、前記ユーザにより選択された各アクセサリセットに含まれる全てのアクセサリ画像の総合重ね順を算出し、当該全てのアクセサリ画像を当該総合重ね順の示す層に配置する第２配置手段、
として機能させ、
前記第２配置手段は、前記第２重ね順として正の数値が設定されている前記アクセサリ画像を前記ページ画像より上位層に配置し、前記第２重ね順として負の数値が設定されている前記アクセサリ画像を前記ページ画像より下位層に配置することを特徴とするレイアウトデータ作成プログラム。
【発明の詳細な説明】
【技術分野】
【０００１】
本発明は、ＤＴＰ（Desktop publishing）の技術分野に関する。
【背景技術】
【０００２】
従来、印刷物のレイアウト編集作業はコンピュータで行われるようになっており、ＤＴＰと呼ばれている。印刷機から出力される印刷物には製品となるページ部分と切り落とされる余白部分とがあり、ＤＴＰでレイアウトを編集する際、ページ部分には折丁に折ったときに正しいページ順となるようにページ画像を配置し、余白部分には印刷工程や下流工程での検査、機械制御や品質管理のために利用されるトンボや色玉、背標等のいわゆるアクセサリ画像を配置する。
【０００３】
特許文献１では、こうした処理を自動で行う技術について開示している。
【先行技術文献】
【特許文献】
【０００４】
【特許文献１】特開２０００−３２６４７３号公報
【発明の概要】
【発明が解決しようとする課題】
【０００５】
一方で、レイアウト編集作業を自動で行うためには綿密な事前設定をしておく必要があり、オペレータがアクセサリ画像を個別に配置した方が効率が良い場合もある。
【０００６】
しかしながら、一つのレイアウトデータについて多くのアクセサリ画像を配置する必要がある場合、オペレータの負荷が大きかった。例えば、ページ画像の４隅にトンボを配置するだけでも、トンボの姿勢（角度）を変えて４箇所に配置する必要があり同様の作業を他のアクセサリ画像についても行うことは作業効率の観点からも好ましくなかった。
【０００７】
また、ページ画像やアクセサリ画像同士が重なっている部分については重ね順が上位の画像が印刷されるため、アクセサリ画像同士の重ね順や、ページ画像とアクセサリ画像の重ね順が重要となる。ところが、配置するアクセサリ画像の数が多くなると、個々のアクセサリ画像の重ね順を管理することは煩雑な作業であった。
【０００８】
本発明は、このような問題等に鑑みて為されたもので、一つのレイアウトデータについて複数のアクセサリ画像を容易に配置することができ、その際の各画像の重ね順を少ない操作で設定することができるレイアウトデータ作成装置等を提供することを課題とする。
【課題を解決するための手段】
【０００９】
上記課題を解決するために、請求項１に記載の発明は、印刷対象であるページ画像及びアクセサリ画像のレイアウトを示すレイアウトデータを作成するレイアウトデータ作成装置であって、複数のアクセサリ画像を含むアクセサリセットであって、ユーザにより選択されたアクセサリセットに含まれる各アクセサリ画像を、当該アクセサリ画像について予め設定されている位置情報により示される位置に配置する第１配置手段と、前記ユーザにより選択されたアクセサリセットについて当該ユーザが設定した第１重ね順と、前記アクセサリセットに含まれる各アクセサリ画像間で予め設定されている第２重ね順に基づいて、前記ユーザにより選択された各アクセサリセットに含まれる全てのアクセサリ画像の総合重ね順を算出し、当該全てのアクセサリ画像を当該総合重ね順の示す層に配置する第２配置手段と、を備え、前記第２配置手段は、前記第２重ね順として正の数値が設定されている前記アクセサリ画像を前記ページ画像より上位層に配置し、前記第２重ね順として負の数値が設定されている前記アクセサリ画像を前記ページ画像より下位層に配置することを特徴とする。
【００１０】
この発明によれば、同時に配置されることが多いアクセサリ画像をアクセサリセットとして各アクセサリ画像の位置情報とともに記憶させておき、レイアウト編集時に必要なアクセサリセットを選択することにより容易に当該アクセサリセットに含まれる複数のアクセサリ画像を配置することができる。また、選択したアクセサリセット毎に第１重ね順を設定することにより、当該第１重ね順と予め設定されている第２重ね順とに基づいて算出される総合重ね順の示す層に、選択したアクセサリセットに含まれる全てのアクセサリ画像を配置することができる。
また、この発明によれば、ページ画像の近傍に配置する可能性の高いアクセサリ画像については、第２重ね順として負の数値を設定することにより、印刷ミスによりアクセサリ画像がページ画像と重なる位置に印刷されたとしても、アクセサリ画像はページ画像より下位層に配置されるため画像が印刷されることなく、アクセサリ画像がページ画像の上に印刷されてしまう印刷事故を防止することができる。
【００１１】
請求項２に記載の発明は、請求項１に記載のレイアウトデータ作成装置であって、前記第２配置手段は、前記第２重ね順が同順位であるアクセサリ画像については当該アクセサリ画像を含むアクセサリセットについて設定された第１重ね順に従って前記総合重ね順を算出することを特徴とする。
【００１２】
この発明によれば、異なるアクセサリセットに含まれるアクセサリ画像同士の第２重ね順が同順位であっても、ユーザの設定した第１重ね順に従って優先するアプリ画像を適切な層に配置することができ、ユーザの意思を反映させることができる。
【００１５】
請求項３に記載の発明は、印刷対象であるページ画像及びアクセサリ画像のレイアウトを示すレイアウトデータを作成するレイアウトデータ作成装置が行うレイアウトデータ作成方法であって、複数のアクセサリ画像を含むアクセサリセットであって、ユーザにより選択されたアクセサリセットに含まれる各アクセサリ画像を、当該アクセサリ画像について予め設定されている位置情報により示される位置に配置する第１配置工程と、前記ユーザにより選択されたアクセサリセットについて当該ユーザが設定した第１重ね順と、前記アクセサリセットに含まれる各アクセサリ画像間で予め設定されている第２重ね順に基づいて、前記ユーザにより選択された各アクセサリセットに含まれる全てのアクセサリ画像の総合重ね順を算出し、当該全てのアクセサリ画像を当該総合重ね順の示す層に配置する第２配置工程と、を含み、前記第２配置工程では、前記第２重ね順として正の数値が設定されている前記アクセサリ画像を前記ページ画像より上位層に配置し、前記第２重ね順として負の数値が設定されている前記アクセサリ画像を前記ページ画像より下位層に配置することを特徴とする。
【００１６】
請求項４に記載の発明は、印刷対象であるページ画像及びアクセサリ画像のレイアウトを示すレイアウトデータを作成するレイアウトデータ作成装置に含まれるコンピュータを、複数のアクセサリ画像を含むアクセサリセットであって、ユーザにより選択されたアクセサリセットに含まれる各アクセサリ画像を、当該アクセサリ画像について予め設定されている位置情報により示される位置に配置する第１配置手段、前記ユーザにより選択されたアクセサリセットについて当該ユーザが設定した第１重ね順と、前記アクセサリセットに含まれる各アクセサリ画像間で予め設定されている第２重ね順に基づいて、前記ユーザにより選択された各アクセサリセットに含まれる全てのアクセサリ画像の総合重ね順を算出し、当該全てのアクセサリ画像を当該総合重ね順の示す層に配置する第２配置手段、として機能させ、前記第２配置手段は、前記第２重ね順として正の数値が設定されている前記アクセサリ画像を前記ページ画像より上位層に配置し、前記第２重ね順として負の数値が設定されている前記アクセサリ画像を前記ページ画像より下位層に配置することを特徴とする。
【発明の効果】
【００１７】
本発明によれば一つのレイアウトデータについて複数のアクセサリ画像を容易に配置することができ、その際の各画像の重ね順を少ない操作で設定することができる。
【図面の簡単な説明】
【００１８】
【図１】（Ａ）は、面付けデータの表示例を示す図である。（Ｂ）、（Ｃ）、（Ｄ）は、アクセサリセットの表示例を示す図である。
【図２】レイアウト編集装置の構成例を示すブロック図である。
【図３】アクセサリセットテーブルの構成例を示す図である。
【図４】レイアウト編集装置の動作例を示すフローチャートである。
【図５】（Ａ）は、セット間重ね順とセット内重ね順の例を示す図である。（Ｂ）は、図５Ａの例において算出される総合重ね順を示す図である。（Ｃ）は、図５Ｂの総合重ね順に従ってアクセサリ画像を配置した様子を示す図である。
【発明を実施するための形態】
【００１９】
以下、図面を参照して本発明の実施形態について説明する。なお、以下に説明する実施形態は、レイアウト編集装置において本発明を適用した場合の実施形態である。
【００２０】
［１．レイアウト編集装置の概要］
まず、図１を用いてレイアウト編集装置が作成する面付けデータについて説明する。図１（Ａ）は面付けデータＤの表示例を示す図である。面付けデータＤは、面付けテンプレートに対してオペレータがページ画像Ｐやアクセサリ画像の配置が完了した状態で面付けデータ作成実行操作を行うことによってレイアウト編集装置により作成される。つまり、レイアウト編集装置は、ページ画像Ｐ及びアクセサリ画像の配置を編集するための機能をオペレータに提供する。そして、レイアウト編集装置によって作成された面付けデータＤは印刷機で印刷を行うための元データとなる。
【００２１】
本実施形態におけるレイアウト編集装置では、オペレータが複数のアクセサリ画像をまとめたアクセサリセットを登録することができる。例えば、同時に配置することの多いアクセサリ画像をまとめたアクセサリセットを登録することができる。図１（Ｂ）はアクセサリセット１００の一例を示す図である。アクセサリセット１００はトンボ画像１０１Ａ、１０１Ｂ、１０１Ｃ、１０１Ｄと、背標画像１０２により構成されている。同様に、図１（Ｃ）に示すアクセサリセット２００は品目画像２０１と印刷機名称画像２０２により構成されている。図１（Ｄ）に示すアクセサリセット３００はカラーバー画像３０１Ａ、３０１Ｂにより構成されている。なお、トンボ画像１０１Ａ、１０１Ｂ、１０１Ｃ、１０１Ｄ、品目画像２０１、印刷機名称画像２０２、カラーバー画像３０１Ａ、３０１Ｂはアクセサリ画像の一例である。
【００２２】
アクセサリセットを登録する際には、各アクセサリ画像について重ね順情報、位置情報、姿勢情報及びサイズ情報を設定する。重ね順情報とは、アクセサリセットに含まれるアクセサリ画像間での重ね順（「セット内重ね順」という。「第２重ね順」の一例）が数値で示される。重ね順「０」はページ画像の層を示し、正の値はページ画像より上位層に配置することを意味し、絶対値が大きい程、より上位層に配置される。また、負の値はページ画像より下位層に配置することを意味し、絶対値が大きい程、より下位層に配置される。位置情報は、アクセサリ画像を配置する位置を示す情報であり、具体的には、基準、当該基準からのＸ座標方向の変位量、当該基準からのＹ座標方向の変位量を示す情報からなる。基準としてはページ基準（ページ画像の一つの隅を基準とする）、用紙基準（印刷用紙の一つの隅を基準とする）、刷版基準（刷版の一つの隅を基準とする）がある。姿勢情報は、アクセサリ画像を配置する際の姿勢（回転角度）を示す情報であり、基準となる姿勢からの回転角度を示す。サイズ情報は、アクセサリ画像を配置する際のサイズを示す情報であり、基準となるサイズからの倍率を示す。
【００２３】
オペレータは、面付けデータＤを作成する際に、まず面付けテンプレートを選択し、ページ画像、印刷用紙、及び刷版の寸法情報を入力する。次いで、ページ画像及びアクセサリ画像を配置する。アクセサリ画像を配置する際には、アクセサリセットを選択することにより、当該アクセサリセットに含まれる複数のアクセサリ画像を一度に配置することができる。このとき、オペレータは選択したアクセサリセット同士での重ね順（「セット間重ね順」という。「第１重ね順」の一例）を設定する。レイアウト編集装置は、アクセサリセットが選択されると、アクセサリセットに含まれるアクセサリ画像を、設定されたセット間重ね順、登録されている重ね順情報が示すセット内重ね順、位置情報が示す位置、姿勢情報が示す回転角度及びサイズ情報が示す倍率に従って、面付けテンプレートに配置する。なお、レイアウト編集装置は、セット間重ね順とセット内重ね順に基づいて面付けテンプレートに配置する全てのアクセサリ画像間での重ね順（「総合重ね順」という）を算出して、全てのアクセサリ画像を配置する。次いで、オペレータが面付けデータ作成実行操作を行うと、レイアウト編集装置がページ画像Ｐやアクセサリ画像が配置された面付けテンプレートに基づいて面付けデータＤを作成する。
【００２４】
したがって、レイアウト編集装置によれば、オペレータは、レイアウト編集時に必要なアクセサリセットを選択することにより容易に当該アクセサリセットに含まれる複数のアクセサリ画像を配置することができる。また、選択したアクセサリセット毎にセット間重ね順を設定することにより、当該セット間重ね順と予め設定されているセット内重ね順とに基づいて算出される総合重ね順の示す層に、選択したアクセサリセットに含まれる全てのアクセサリ画像を配置することができる。
【００２５】
なお、図１（Ｂ）のアクセサリセット１００、図１（Ｃ）のアクセサリセット２００、及び図１（Ｄ）のアクセサリセット３００を選択することにより図１（Ａ）に示すようにトンボ画像１０１Ａ、１０１Ｂ、１０１Ｃ、１０１Ｄ、背標画像１０２、品目画像２０１、印刷機名称画像２０２、カラーバー画像３０１Ａ、３０１Ｂが配置される。
【００２６】
［２．レイアウト編集装置の構成］
次に、図２を用いてレイアウト編集装置１の構成について説明する。レイアウト編集装置１は、例えば、パーソナルコンピュータ等により構成されており、制御部１１、記憶部１２、操作部１３、表示部１４、及びインターフェース部（Ｉ／Ｆ部）１５を備えている。
【００２７】
記憶部１２は、例えば、ハードディスクドライブや不揮発性メモリ等により構成されており、オペレーティングシステムや、アプリケーション等の各種プログラム等を記憶する。また、記憶部１２は、面付けテンプレートを編集して面付けデータＤを作成するためのレイアウト編集用アプリケーション（以下、「レイアウト編集用アプリ」）を記憶している。各種プログラムは、例えば、他のサーバ装置等からネットワークを介して取得されるようにしても良いし、記録媒体に記録されて外付けドライブ装置を介して読み込まれるようにしても良い。
【００２８】
また、記憶部１２は、印刷対象であるページ画像を記憶する。更に、記憶部１２は、オペレータにより登録された面付けテンプレートを記憶する。面付けテンプレートは、ページ画像の配置パターン等に応じて複数種類登録される。なお、本実施形態では、面付けテンプレートには、ページ、用紙、刷版の縦横の寸法情報が付随しておらず、面付けデータＤを作成する際には、オペレータが寸法情報を入力するようになっている。但し、よく入力する寸法情報をプリセット値として付随させておき、必要に応じて編集時に変更できるようにしてもよい。
【００２９】
更にまた、記憶部１２は、アクセサリセットに関する情報が記述されたアクセサリセットテーブルを記憶する。図３は、アクセサリセットテーブル５００の構成例を示す図である。アクセサリセットテーブル５００には、アクセサリセットを識別するためのセットＩＤ５０１、セットＩＤ５０１で識別されるアクセサリセットに含まれるアクセサリ画像を識別するためのアクセサリＩＤ５０２、アクセサリＩＤ５０２で識別されるアクセサリ画像についての重ね順情報５０３（セット内重ね順を示す情報）、位置情報５０４、姿勢情報５０５及びサイズ情報５０６が記述される。つまり、同じセットＩＤと対応付けられているアクセサリＩＤで識別されるアクセサリ画像は、同じアクセサリセットに含まれていることを示している。なお、本実施形態では、セット内重ね順として３桁の数値（「−９９９〜９９９」）を登録することができるようになっている。
【００３０】
図３のアクセサリセットテーブル５００は、図１（Ｂ）のアクセサリセット１００、図１（Ｃ）のアクセサリセット２００、図１（Ｄ）のアクセサリセット３００に含まれるアクセサリ画像についての記述例を示している。セットＩＤ「００１」はアクセサリセット１００に対応しており、セットＩＤ「００２」はアクセサリセット２００に対応しており、セットＩＤ「００３」はアクセサリセット３００に対応している。なお、図３では、アクセサリセットテーブル５００の右側に、対応するアクセサリ画像（図１（Ｂ）、（Ｃ）、（Ｄ）におけるアクセサリ画像）を示している。
【００３１】
セット間重ね順における符号は、ページ画像より上位層に配置するか又は下位層に配置するかを示している。基準となるページ画像を「０」とし、ページ画像より上位層に配置する場合には「＋」、ページ画像より下位層に配置する場合には「−」の符号が付される（「＋」については表記上省略する）。また、セット間重ね順における値（絶対値）は重ね順を示しており、値に付される符号が「＋」である場合には、値が大きい程上位層に配置され、一方、値に付される符号が「−」である場合には、値が大きい程下位層に配置される。
【００３２】
トンボ画像１０１Ａ、１０１Ｂ、１０１Ｃ、１０１Ｄは、それぞれセット間重ね順が「−１」、「−２」、「−３」、「−４」と記述されていることから、各トンボ画像が、数値が基準となるページ画像からトンボ画像１０１Ａ、１０１Ｂ、１０１Ｃ、１０１Ｄの順で下位層に配置される。また、背標画像１０２は、セット間重ね順が「１」と記述されているが、正の値なので背標画像１０２がページ画像より上位層に配置される。
【００３３】
トンボ画像１０１Ｂについて位置情報が「（ページ基準、８０、０）」と記述されているが、これはページ画像の左上隅を基準にＸ軸方向に８０ｍｍ、Ｙ軸方向に０ｍｍの位置にトンボ画像１０１Ａを配置することを示している。また、トンボ画像１０１Ｂについて姿勢情報が「９０°」と記述されているが、これは図１（Ｂ）のトンボ画像１０１Ａの姿勢を基準（０°）にトンボ画像を９０°回転させて配置することを示している。更に、トンボ画像１０１Ｂについてサイズ情報が「１１０％」と記述されているが、これはトンボ画像を基準サイズから１．１倍のサイズにして配置することを示している。
【００３４】
操作部１３は、例えば、キーボード、マウス等により構成されており、編集者の入力操作を受け付け、入力操作に応じた操作信号を制御部１１に送る。表示部１４は、液晶ディスプレイ等で構成されており、制御部１１の制御の下、各種ウィンドウ等を表示する。また、Ｉ／Ｆ部１５は、スキャナやプリンタ等の周辺機器が接続されている際に、レイアウト編集装置１と周辺機器との間で送受信するデータの変換等を所定の規則に従って行う。
【００３５】
制御部１１は、演算機能を有するＣＰＵ（Central Processing Unit）、ＲＯＭ（Read Only Memory）、作業用のＲＡＭ（Random Access Memory）、及び図示しない発振回路等を備えて構成されており、操作部１３からの操作信号に基づいて、当該操作信号に含まれている操作情報に対応する動作を実現すべく上記各構成部材を制御するための制御情報を生成し、バスを介して当該制御情報を該当する構成部材に出力して当該各構成部材の動作を統轄制御する。
【００３６】
［３．レイアウト編集装置１の使用手順及び動作］
次に、図４及び図５を用いてレイアウト編集装置１の使用手順及び動作について説明する。図４はレイアウト編集装置１を用いて面付けデータＤを作成する際のオペレータ及びレイアウト編集装置の動作例を示すフローチャートである。なお、レイアウト編集装置１には、本フローチャートが開始する前までに、印刷対象であるページ画像、複数種類の面付けテンプレートと、複数種類のアクセサリセットが登録されているものとする。
【００３７】
まず、オペレータはレイアウト編集用アプリを起動し、面付けテンプレート選択画面（図示しない）より、印刷に用いる面付けテンプレートを選択する（ステップＳ１）。
【００３８】
これに対して、制御部１１は、オペレータにより選択された面付けテンプレートを記憶部１２から取得する（ステップＳ１１）。
【００３９】
次いで、オペレータは、ステップＳ１の処理で選択した面付けテンプレートについて寸法情報を入力する（ステップＳ２）。
【００４０】
これに対して、制御部１１は、オペレータにより入力された寸法情報を、ステップＳ１１の処理で取得した面付けテンプレートについて設定する（ステップＳ１２）。
【００４１】
次いで、オペレータは、ページ画像選択画面（図示しない）より、ステップＳ１の処理で選択した面付けテンプレートに配置するページ画像を選択する（ステップＳ３）。
【００４２】
これに対して、制御部１１は、オペレータにより選択されたページ画像を記憶部１２から取得する（ステップＳ１３）。
【００４３】
次いで、オペレータは、ステップＳ３の処理で選択したページ画像を面付けテンプレート上に配置する（ステップＳ４）。
【００４４】
これに対して、制御部１１は、オペレータにより指定された位置に、ステップＳ１３の処理で取得したページ画像を配置する（ステップＳ１４）。
【００４５】
次いで、オペレータは、アクセサリセット選択画面（図示しない）より、ステップＳ１の処理で選択した面付けテンプレートに配置するアクセサリ画像を含むアクセサリセットを選択する（ステップＳ５）。
【００４６】
これに対して、制御部１１は、オペレータにより選択されたアクセサリセットに関する情報（セットＩＤ、アクセサリＩＤ、重ね順情報（セット内重ね順）、位置情報、姿勢情報、サイズ情報）をアクセサリセットテーブル５００より取得する（ステップＳ１５）。
【００４７】
次いで、オペレータは、セット間重ね順入力画面（図示しない）より、ステップＳ５の処理で選択したアクセサリセット同士についてセット間重ね順を入力する（ステップＳ６）。
【００４８】
これに対して、制御部１１は、オペレータにより入力されたセット間重ね順を取得する（ステップＳ１６）。
【００４９】
次いで、制御部１１は、ステップＳ１６の処理で取得したセット間重ね順と、ステップＳ１５の処理で取得した重ね順情報が示すセット内重ね順とに基づいて、ステップＳ１６の処理で配置した全てのアクセサリ画像について総合重ね順を算出する（ステップＳ１７）。具体的には、次の（１）式、（２）式により各アクセサリ画像の総合重ね順を決定する。
（セット内重ね順が正の場合）
１０００×セット間重ね順＋|セット内重ね順|    （１）
（セット内重ね順が正の場合）
−（１０００×セット間重ね順＋|セット内重ね順|）    （２）
※|セット内重ね順| :セット内重ね順の絶対値
なお、本実施形態ではセット内重ね順を３桁まで登録できるようにしたため、「１０００」をセット間重ね順に乗じているが、セット間重ね順に乗じる値は、登録できる桁数をｎとした場合、「１０ｎ」となる。
【００５０】
ここで、図３に例示した重ね順情報（セット内重ね順）について総合重ね順を算出した例を図５に示す。ここでは、図５（Ａ）に示すように、オペレータが、アクセサリセット１００、アクセサリセット２００、アクセサリセット３００のそれぞれについてセット間重ね順として「１」、「２」、「３」を設定したと仮定する。図５（Ａ）に示したセット間重ね順及びセット内重ね順を上記式に代入することにより算出される総合重ね順は図５（Ｂ）に示す通りである。そして、図５（Ｃ）は、総合重ね順に従って各アクセサリ画像を並び替えた様子を示す模式図である。総合重ね順が正の値である場合、アクセサリ画像はページ画像より上位層に配置され、値が大きい程、上層に配置される。一方、総合重ね順が負の値である場合、アクセサリ画像はページ画像より下位層に配置され、値が大きい程、下層に配置される。
【００５１】
図４に戻り、次いで、制御部１１は、オペレータにより選択されたアクセサリセットに含まれる全てのアクセサリ画像を、ステップＳ１５の処理で取得した位置情報、及びステップＳ１７の処理で算出した総合重ね順に従って面付けテンプレート上に配置する（ステップＳ１８）。
【００５２】
次いで、オペレータは、面付けテンプレートに配置されたページ画像及びアクセサリ画像の配置（位置及び重ね順）に修正する必要がある場合には修正を行う（ステップＳ７）。但し、修正が不要の場合はこのステップはスキップする。
【００５３】
これに対して、制御部１１は、ステップＳ７におけるオペレータによる修正が入力された場合には、当該修正を反映させる（ステップＳ１９）。
【００５４】
次いで、オペレータは、面付けテンプレートを用いた編集作業が終了したら、面付けデータ作成実行操作を行う（ステップＳ８）。本実施形態では、面付けデータ作成ボタン（図示しない）を押下する操作が、面付けデータ作成実行操作に該当する。
【００５５】
これに対して、制御部１１は、面付けデータ作成ボタンが押下されたと判断すると、面付けテンプレートと、面付けテンプレートに配置されたページ画像及びアクセサリ画像に基づいて面付けデータＤを作成する（ステップＳ２０）。
【００５６】
以上説明したように、本実施形態におけるレイアウト編集装置１は、印刷対象であるページ画像及びアクセサリ画像のレイアウトを示す面付けデータＤを作成する装置であって、制御部１１（「第１配置手段」、「第２配置手段」の一例）は、複数のアクセサリ画像を含むアクセサリセットであって、オペレータ（「ユーザ」の一例）により選択されたアクセサリセットに含まれる各アクセサリ画像を、当該アクセサリ画像について予め設定されている位置情報により示される位置に配置し、ユーザにより選択されたアクセサリセットについて当該ユーザが設定したセット間重ね順（「第１重ね順」の一例）と、アクセサリセットに含まれる各アクセサリ画像間で予め設定されているセット内重ね順（「第２重ね順」の一例）に基づいて、オペレータにより選択された各アクセサリセットに含まれる全てのアクセサリ画像の総合重ね順を算出し、当該全てのアクセサリ画像を当該総合重ね順の示す層に配置する。
【００５７】
この発明によれば、同時に配置されることが多いアクセサリ画像をアクセサリセットとして各アクセサリ画像の位置情報とともに記憶させておき、レイアウト編集時に必要なアクセサリセットを選択することにより容易に当該アクセサリセットに含まれる複数のアクセサリ画像を配置することができる。また、選択したアクセサリセット毎にセット間重ね順を設定することにより、当該セット間重ね順と予め設定されているセット内重ね順とに基づいて算出される総合重ね順の示す層に、選択したアクセサリセットに含まれる全てのアクセサリ画像を配置することができる。つまり、一つの面付けテンプレートについて複数のアクセサリ画像を容易に配置することができ、その際の各画像の重ね順を少ない操作で設定することができる。
【００５８】
また、制御部１１は、総合重ね順を上記（１）式、（２）式により算出することにより、セット内重ね順が同順位であるアクセサリ画像については当該アクセサリ画像を含むアクセサリセットについて設定されたセット間重ね順に従って総合重ね順を算出する。したがって、異なるアクセサリセットに含まれるアクセサリ画像同士のセット内重ね順が同順位であっても、ユーザの設定したセット間重ね順に従って優先するアプリ画像を適切な層に配置することができ、ユーザの意思を反映させることができる。
【００５９】
更に、制御部１１は、セット内重ね順として正の数値が設定されているアクセサリ画像をページ画像より上位層に配置し、セット内重ね順として負の数値が設定されているアクセサリ画像をページ画像より下位層に配置する。したがって、ページ画像の近傍に配置する可能性の高いアクセサリ画像については、セット内重ね順として負の数値を設定することにより、印刷ミスによりアクセサリ画像がページ画像と重なる位置に印刷されたとしても、アクセサリ画像はページ画像より下位層に配置されるため画像が印刷されることなく、アクセサリ画像がページ画像の上に印刷されてしまう印刷事故を防止することができる。
【符号の説明】
【００６０】
１  レイアウト編集装置
１１  制御部
１２  記憶部
１３  操作部
１４  表示部
１５  Ｉ／Ｆ部
【図１】
0006544224.tif 000002
【図２】
0006544224.tif 000003
【図３】
0006544224.tif 000004
【図４】
0006544224.tif 000005
【図５】
0006544224.tif 000006